【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
所定の事業者が提供するサービスの利用者の情報を管理し、前記利用者の生体情報を用いて前記利用者の情報を検索する検索装置であって、
前記事業者の属性情報と、前記事業者が提供するサービスの利用者の属性情報と、当該利用者の身体における複数の部位から読み取られた複数の生体情報と、前記複数の生体情報の各々と関連付けられたサービスの属性情報とを対応付けて記憶するデータ記憶部と、
前記利用者の操作する端末から、前記事業者の属性情報と、前記利用者の属性情報と、前記利用者の生体情報とを前記サービスの利用に伴う認証依頼として取得し、メモリに格納する情報取得部と、
前記データ記憶部において、前記メモリに格納されている前記事業者の属性情報と前記利用者の属性情報とをキーとして、前記事業者の属性情報と前記利用者の属性情報とに対応する生体情報を抽出する生体情報抽出部と、
前記生体情報抽出部によって抽出された生体情報のうち、前記情報取得部が取得した利用者の生体情報に一致する生体情報を検索して、この生体情報が読み取られた前記利用者の身体における該当部位を特定し、この該当部位の生体情報に関連付けられたサービスの属性情報を前記データ記憶部から読み出す検索処理部と、
前記読み出されたサービスの詳細情報を、出力インターフェイスに出力する出力処理部と、
を有する検索装置。
【請求項２】
請求項１において、
前記データ記憶部は、前記利用者の生体情報と、前記利用者の個人情報とを対応付けて記憶しており、
前記生体情報抽出部は、前記検索処理部で検索された生体情報に基づき、前記利用者の個人情報をデータ記憶部から、読み出すものであり、
前記出力処理部は、前記利用者の個人情報を出力インターフェイスに出力するものである、
ことを特徴とする検索装置。
【請求項３】
請求項１において、
前記事業者の属性情報とは、前記事業者の業種の識別情報を含むことを特徴とする検索装置。
【請求項４】
請求項１において、
前記事業者の属性情報とは、前記事業者の識別情報を含むことを特徴とする検索装置。
【請求項５】
請求項１において、
前記利用者の属性情報とは、前記利用者がサービスを利用する際に入力する暗証番号を含むことを特徴とする検索装置。
【請求項６】
所定の事業者が提供するサービスの利用者の情報を管理し、前記利用者の情報をコンピュータにより検索する方法であって、
前記コンピュータが、
前記利用者の操作する端末から、前記事業者の属性情報と、前記利用者の属性情報と、前記利用者の生体情報とを前記サービスの利用に伴う認証依頼として取得し、メモリに格納し、
前記事業者の属性情報と、前記事業者が提供するサービスの利用者の属性情報と、当該利用者の身体における複数の部位から読み取られた複数の生体情報と、前記複数の生体情報の各々と関連付けられたサービスの属性情報とを対応付けて記憶するデータ記憶部から、前記取得した事業者の属性情報と前記利用者の属性情報とをキーとして生体情報を抽出し、
前記データ記憶部から抽出された生体情報のうち、前記メモリに格納した利用者の生体情報に一致する生体情報を検索して、この生体情報が読み取られた前記利用者の身体における該当部位を特定し、この該当部位の生体情報に関連付けられたサービスの属性情報を前記データ記憶部から読み出し、
前記読み出されたサービスの詳細情報を、出力インターフェイスに出力する、
ことを特徴とする検索方法。
【請求項７】
所定の事業者が提供するサービスの利用者の情報を管理し、前記利用者の情報をコンピュータにより検索する方法を、コンピュータに実行させるためのプログラムであって、
前記利用者の操作する端末から、前記事業者の属性情報と、前記利用者の属性情報と、前記利用者の生体情報とを前記サービスの利用に伴う認証依頼として取得し、メモリに格納するステップと、
前記事業者の属性情報と、前記事業者が提供するサービスの利用者の属性情報と、当該利用者の身体における複数の部位から読み取られた複数の生体情報と、前記複数の生体情報の各々と関連付けられたサービスの属性情報とを対応付けて記憶するデータ記憶部から、前記取得した事業者の属性情報と前記利用者の属性情報とをキーとして生体情報を抽出するステップと、
前記データ記憶部から抽出された生体情報のうち、前記メモリに格納した利用者の生体情報に一致する生体情報を検索して、この生体情報が読み取られた前記利用者の身体における該当部位を特定し、この該当部位の生体情報に関連付けられたサービスの属性情報を前記データ記憶部から読み出すステップと、
前記読み出されたサービスの詳細情報を、出力インターフェイスに出力するステップと、
を含む検索プログラム。
【手続補正２】
【補正対象書類名】明細書
【補正対象項目名】０００５
【補正方法】変更
【補正の内容】
【０００５】
上記課題を解決するため本発明の検索装置は、所定の事業者が提供するサービスの利用者の情報を管理し、前記利用者の生体情報を用いて前記利用者の情報を検索する検索装置であって、前記事業者の属性情報と、前記事業者が提供するサービスの利用者の属性情報と、当該利用者の身体における複数の部位から読み取られた複数の生体情報と、前記複数の生体情報の各々と関連付けられたサービスの属性情報とを対応付けて記憶するデータ記憶部と、前記利用者の操作する端末から、前記事業者の属性情報と、前記利用者の属性情報と、前記利用者の生体情報とを前記サービスの利用に伴う認証依頼として取得し、メモリに格納する情報取得部と、前記データ記憶部において、前記メモリに格納されている前記事業者の属性情報と前記利用者の属性情報とをキーとして、前記事業者の属性情報と前記利用者の属性情報とに対応する生体情報を抽出する生体情報抽出部と、前記生体情報抽出部によって抽出された生体情報のうち、前記情報取得部が取得した利用者の生体情報に一致する生体情報を検索して、この生体情報が読み取られた前記利用者の身体における該当部位を特定し、この該当部位の生体情報に関連付けられたサービスの属性情報を前記データ記憶部から読み出す検索処理部と、前記読み出されたサービスの詳細情報を、出力インターフェイスに出力する出力処理部と、を有する。
【手続補正３】
【補正対象書類名】明細書
【補正対象項目名】０００６
【補正方法】変更
【補正の内容】
【０００６】
また、本発明の検索方法は、所定の事業者が提供するサービスの利用者の情報を管理し、前記利用者の情報をコンピュータにより検索する方法であって、前記コンピュータが、前記利用者の操作する端末から、前記事業者の属性情報と、前記利用者の属性情報と、前記利用者の生体情報とを前記サービスの利用に伴う認証依頼として取得し、メモリに格納し、前記事業者の属性情報と、前記事業者が提供するサービスの利用者の属性情報と、当該利用者の身体における複数の部位から読み取られた複数の生体情報と、前記複数の生体情報の各々と関連付けられたサービスの属性情報とを対応付けて記憶するデータ記憶部から、前記取得した事業者の属性情報と前記利用者の属性情報とをキーとして生体情報を抽出し、前記データ記憶部から抽出された生体情報のうち、前記メモリに格納した利用者の生体情報に一致する生体情報を検索して、この生体情報が読み取られた前記利用者の身体における該当部位を特定し、この該当部位の生体情報に関連付けられたサービスの属性情報を前記データ記憶部から読み出し、前記読み出されたサービスの詳細情報を、出力インターフェイスに出力する、ことを特徴とする。
【手続補正４】
【補正対象書類名】明細書
【補正対象項目名】０００７
【補正方法】変更
【補正の内容】
【０００７】
また、本発明の検索プログラムは、所定の事業者が提供するサービスの利用者の情報を管理し、前記利用者の情報をコンピュータにより検索する方法を、コンピュータに実行させるためのプログラムであって、前記利用者の操作する端末から、前記事業者の属性情報と、前記利用者の属性情報と、前記利用者の生体情報とを前記サービスの利用に伴う認証依頼として取得し、メモリに格納するステップと、前記事業者の属性情報と、前記事業者が提供するサービスの利用者の属性情報と、当該利用者の身体における複数の部位から読み取られた複数の生体情報と、前記複数の生体情報の各々と関連付けられたサービスの属性情報とを対応付けて記憶するデータ記憶部から、前記取得した事業者の属性情報と前記利用者の属性情報とをキーとして生体情報を抽出するステップと、前記データ記憶部から抽出された生体情報のうち、前記メモリに格納した利用者の生体情報に一致する生体情報を検索して、この生体情報が読み取られた前記利用者の身体における該当部位を特定し、この該当部位の生体情報に関連付けられたサービスの属性情報を前記データ記憶部から読み出すステップと、前記読み出されたサービスの詳細情報を、出力インターフェイスに出力するステップと、を含むものである。